(57)【特許請求の範囲】
【請求項１】
水中からでも、起動、浮上、させることができるブザーであって、電池（３ａ）と、回路部（３）と、スピーカー（２）と、これらを格納して防水密閉した、浮力を有する本体（１）と、本体（１）を保持して、本体（１）内部回路を開けておくホルダー（４）を備え、本体（１）の一端側にスピーカー（２）を配し、もう一端側に、例えば電池（３ａ）や素子基板（３ｂ）を配することにより、本体（１）の重心を寄せて、本体（１）が水面に浮かんだ際に、スピーカー（２）が水面上に突出するようにしておき、ホルダー（４）は、例えば、Ｃ形プレートの中腹に凸部を設け、本体（１）を抱えるようにハメ込んで、本体（１）を保持しておくと共に、弾性素材で被覆防水された本体（１）開口部に、凸部を差し込んで、被覆部（１ｃ）越しに本体（１）内部のプッシュオフスイッチ（３ｃ）を押さえて、回路を開かせておくようにしたり、あるいは、磁力や導電性を有した凸部を、本体（１）の凹部にハメ込んで、本体（１）を保持しておくと共に、本体（１）内部のセンサースイッチ（３ｄ）に、磁力や導電性を壁越しに感知させて、回路を開かせておくようにしたり、あるいは、磁力を有するプレートで、本体（１）側の軟磁性体部（１ｄ）を引き寄せて、本体（１）を保持しておくと共に、本体（１）内部のセンサースイッチ（３ｄ）に、磁力を壁越しに感知させて、回路を開かせておくようにしたりして、即ち、本体（１）を保持しておくと共に、本体（１）の防水密閉を害することなく、間接的に、あるいは近接的に、本体（１）内部回路を開かせておくようにしておき、使用時においては、水上、水中を問わず、ホルダー（４）から本体（１）を引き放すことにより、本体（１）内部回路が閉じられて、スピーカー（２）が起動されるようにし、引き放された本体（１）が、水面に浮かんで、あるいは水面まで浮上して、水面上に突出したスピーカー（２）から放音されることを特徴とする着脱起動式浮遊防水ブザー。
【請求項２】
前記ホルダー（４）と一体化した装着部（５）を、入水者自身や周辺物に装着しておいて、溺水時の入水者が、装着部（５）から前記本体（１）を引き放すことにより、スピーカー（２）が起動されると共に、引き放された本体（１）が、水面に浮かんで、あるいは水面まで浮上して、水面上に突出したスピーカー（２）から放音されることを特徴とする請求項１に記載の着脱起動式浮遊防水ブザー。
【請求項３】
前記ホルダー（４）と一体化した装着部（５）を、例えばゴーグルや水中マスクや水泳帽のような、入水者の装着用具と一体化させておいて、溺水時の入水者が、装着用具から前記本体（１）を引き放すことにより、スピーカー（２）が起動されると共に、引き放された本体（１）が、水面に浮かんで、あるいは水面まで浮上して、水面上に突出したスピーカー（２）から放音されることを特徴とする請求項１に記載の着脱起動式浮遊防水ブザー。
【発明の詳細な説明】
【技術分野】
【０００１】
本発明は、水中からでも使用できる、警報ブザーに関するものである。
【背景技術】
【０００２】
海水を利用した電池式や、乾電池式の、浮遊ブザーが考案されているが、水上から水面に投下する構成となっており、水中での使用は、困難である（特許文献１参照）。水中からの使用においては、ブザーを引き放して起動できるタイプが、有効である。スイッチピンからブザーを引き放して起動できるもので、防水性が考慮されたものがある（特許文献２参照）。
【先行技術文献】
【特許文献】
【０００３】
【特許文献１】実全昭５６−１７５２９７
【特許文献２】実用新案登録第３１１９５８９号
【発明の概要】
【発明が解決しようとする課題】
【０００４】
特許文献２に示すものについては、文献中の段落００３４で記載されているように、生活防水性を考慮したものであり、水中での使用は困難である。例えば、スイッチピンは、スイッチ穴の回路接点を、直接開閉させるので、スイッチ穴の電極が露出しており、スイッチピンとスイッチ穴の接合部にシール部材を施しても、スイッチピンが可動部材である限り、浸水の危険性がつきまとう。また、誤って起動させたブザーを停止させる場合等は、浸水したスイッチ穴や、濡れたスイッチピンで、不具合を起こす可能性もある。スピーカーの共鳴部や、浸水を防ぐ為のキャップのラビリンス構造は、一度浸水すると、水が滞留してしまう構造でもある。スピーカーをシールする接着剤やゴム材は、浸水による劣化や振動で、剥離する可能性もある。ブザーを水中で使用する場合は、常に水圧に晒されるので、より強固な防水性が必要である。ラビリンス構造シール部材シール部材シール部材
【０００５】
本願は、水中での携帯、使用にも耐え得る、強固な防水性を備えたブザーを提供することを目的とする。
【課題を解決するための手段】
【０００６】
本発明の防水ブザーは、前記課題に鑑み、本体（１）の防水密閉性を確保する。本体（１）の外殻は、耐水圧に有利な、円筒形や球状に近似したものを推奨し、一体成型で、シームレスとすることが望ましい。内部品の組み付けや電池交換用の本体（１）開口部は、開口部自体にネジ構造を施し、間に、防水リング（１ｂ）を挟んで、蓋ネジ（１ａ）を締結させる。スピーカー（２）用の本体（１）開口部は、開口部自体にネジ構造を施し、間に、蓋となるスピーカー（２）と、防水リング（１ｂ）を挟んで、共鳴キャップ（２ａ）や保護キャップ（２ｃ）のネジ部を締結させる。スピーカー（２）用の開口部を、組み付けや電池交換用の開口部として兼用させて、本体（１）の開口を一カ所にすることもできる。スピーカー（２）の共鳴用として、共鳴キャップ（２ａ）を用いる場合は、放音口に振動フィルム（２ｂ）を被せて、防水しておく。振動フィルム（２ｂ）は、ゴムやプラスチック等のフィルムを、放音口に密着させて、共鳴キャップ（２ａ）をドラム構造にすることで、振動させて放音させる。もしくは、共鳴キャップ（２ａ）の底面に、排水口（２ｄ）を開けておく。底面は、スピーカー（２）と同レベルか、それ以上に本体（１）側に寄せておく。共鳴キャップ（２ａ）に排水口（２ｄ）を開けると、共鳴効果、即ち、増音圧効果が下がるが、共鳴キャップ（２ａ）の周縁端部を本体（１）側に延ばして、本体（１）が水面に浮かんだ際に、周縁端部が水に浸かるようにすれば、共鳴音波は水面に反射して戻され、共鳴効果を補足する。
【０００７】
電池（３ａ）と、回路部（３）と、スピーカー（２）と、これらを格納して防水密閉した、浮力を有する本体（１）と、本体（１）を保持して、本体（１）内部回路を開けておくホルダー（４）を備え、本体（１）の一端側にスピーカー（２）を配し、もう一端側に、例えば電池（３ａ）や素子基板（３ｂ）を配することにより、本体（１）の重心を寄せて、本体（１）が水面に浮かんだ際に、スピーカー（２）が水面上に突出するようにしておき、ホルダー（４）は、例えば、Ｃ形プレートの中腹に凸部を設け、本体（１）を抱えるようにハメ込んで、本体（１）を保持しておくと共に、弾性素材で被覆防水された本体（１）開口部に、凸部を差し込んで、被覆部（１ｃ）越しに本体（１）内部のプッシュオフスイッチ（３ｃ）を押さえて、回路を開かせておくようにしたり、あるいは、磁力や導電性を有した凸部を、本体（１）の凹部にハメ込んで、本体（１）を保持しておくと共に、本体（１）内部のセンサースイッチ（３ｄ）に、磁力や導電性を壁越しに感知させて、回路を開かせておくようにしたり、あるいは、磁力を有するプレートで、本体（１）側の軟磁性体部（１ｄ）を引き寄せて、本体（１）を保持しておくと共に、本体（１）内部のセンサースイッチ（３ｄ）に、磁力を壁越しに感知させて、回路を開かせておくようにしたりして、即ち、本体（１）を保持しておくと共に、本体（１）の防水密閉を害することなく、間接的に、あるいは近接的に、本体（１）内部回路を開かせておくようにしておき、使用時においては、水上、水中を問わず、ホルダー（４）から本体（１）を引き放すことにより、本体（１）内部回路が閉じられて、スピーカー（２）が起動されるようにし、引き放された本体（１）が、水面に浮かんで、あるいは水面まで浮上して、水面上に突出したスピーカー（２）から放音されるようにする。
【０００８】
前記ホルダー（４）と一体化した装着部（５）を、入水者自身や周辺物に装着しておいて、溺水時の入水者が、装着部（５）から前記本体（１）を引き放すことにより、スピーカー（２）が起動されると共に、引き放された本体（１）が、水面に浮かんで、あるいは水面まで浮上して、水面上に突出したスピーカー（２）から放音されるようにする。
【０００９】
前記ホルダー（４）と一体化した装着部（５）を、例えばゴーグルや水中マスクや水泳帽のような、入水者の装着用具と一体化させておいて、溺水時の入水者が、装着用具から前記本体（１）を引き放すことにより、スピーカー（２）が起動されると共に、引き放された本体（１）が、水面に浮かんで、あるいは水面まで浮上して、水面上に突出したスピーカー（２）から放音されるようにする。
【発明の効果】
【００１０】
本発明の防水ブザーは、水中での携帯、使用にも耐え得る、強固な防水性を備えることができる。入水者自身や周辺物に装着しておいて、溺水等の水難事故に活用することもできる。
【図面の簡単な説明】
【００１１】
【図１】本発明の実施例を示す組み付け図である。（実施例１）
【図２】本発明の実施例を示す作動図である。（実施例１）
【図３】本発明の実施例を示す使用図である。（実施例１）
【図４】本発明の実施例を示す組み付け図である。（実施例１）
【図５】本発明の実施例を示す作動図である。（実施例１）
【図６】本発明の実施例を示す使用図である。（実施例１）
【図７】本発明の実施例を示す使用図である。（実施例１）
【図８】本発明の実施例を示す使用図である。（実施例１）
【図９】本発明の実施例を示す使用図である。（実施例１）
【図１０】本発明の実施例を示す組み付け図である。（実施例２）
【図１１】本発明の実施例を示す作動図である。（実施例２）
【図１２】本発明の実施例を示す使用図である。（実施例２）
【図１３】本発明の実施例を示す組み付け図である。（実施例３）
【図１４】本発明の実施例を示す作動図である。（実施例３）
【図１５】本発明の実施例を示す使用図である。（実施例３）
【発明を実施するための形態】
【実施例１】
【００１２】
図１・２・３・４・５・６・７・８・９は本発明実施の一例を示している。図１・２・３に示すように、本体（１）の外殻は、耐水圧に有利な、円筒形であり、一体成型で、シームレスとなっている。内部品の組み付けや電池交換用の本体（１）開口部は、開口部自体にネジ構造を施し、間に、防水リング（１ｂ）を挟んで、蓋ネジ（１ａ）を締結させるようになっている。内部品の電池（３ａ）と、絶縁樹脂を充填された素子基板（３ｂ）の主要部は、蓋ネジ（１ａ）の内側に配され、本体（１）の重心を引き寄せている。素子基板（３ｂ）は、本体（１）内側の２本のキー溝に差し込まれて、格納、固定されている。スピーカー（２）用の本体（１）開口部は、ネジ構造を有し、間に、蓋となるスピーカー（２）と、防水リング（１ｂ）を挟んで、共鳴キャップ（２ａ）に押さえ込まれている。共鳴キャップ（２ａ）周縁端部の、２カ所の回り止めキーが、本体（１）側のキー溝に差し込まれている。共鳴キャップ（２ａ）の放音口は、振動フィルム（２ｂ）を被せられて、防水されている。振動フィルム（２ｂ）は、ゴムやプラスチック等のフィルムであり、放音口に密着させている。共鳴キャップ（２ａ）は、ドラム構造となり、振動フィルム（２ｂ）は、共鳴音波を受けると振動し、放音するようになる。振動フィルム（２ｂ）の保護キャップ（２ｃ）は、共鳴キャップ（２ａ）の張り出し周縁部を押さえ込みながら、開口部のネジに締結させるようにしている。保護キャップ（２ｃ）は、上部が網目状になっている。電池（３ａ）と、回路部（３）と、スピーカー（２）を格納して、防水密閉された本体（１）は、浮力を有し、水面に浮かんだ際に、スピーカー（２）が水面上に突出するようになっている。ホルダー（４）は、Ｃ形プレートの中腹に凸部を設け、本体（１）を抱えるようにハメ込んで、本体（１）を保持しておくと共に、弾性素材で被覆防水された本体（１）開口部に、凸部を差し込んで、被覆部（１ｃ）越しに本体（１）内部のプッシュオフスイッチ（３ｃ）を押さえて、回路を開かせておくようにしてある。使用時においては、水上、水中を問わず、ホルダー（４）から本体（１）を引き放すことにより、本体（１）内部回路が閉じられて、スピーカー（２）が起動されるようになっており、引き放された本体（１）が、水面に浮かんで、あるいは水面まで浮上して、水面上に突出したスピーカー（２）から放音されるようになっている。図４・５・６に示すものは、スピーカー（２）部に関してのみ、異なっている。スピーカー（２）用の本体（１）開口部は、ネジ構造を有し、間に、蓋となるスピーカー（２）と、防水リング（１ｂ）を挟んで、共鳴キャップ（２ａ）に締結されている。共鳴キャップ（２ａ）の底面に、排水口（２ｄ）が開けられており、スピーカー（２）と同レベルに位置している。共鳴キャップ（２ａ）の周縁端部を本体（１）側に延ばしており、本体（１）が水面に浮かんだ際は、周縁端部が水に浸かって、共鳴音波が水面に反射し、戻されるようになっている。図７・８・９は、ブザーの装着に関する例示である。ホルダー（４）と一体化した装着部（５）は、入水者自身に装着されている。あるいは、周辺物に装着されている。あるいは、ゴーグル等の装着用具と一体化されている。溺水時の入水者が、本体（１）を引き放すことにより、スピーカー（２）が起動されると共に、引き放された本体（１）が、水面に浮かんで、あるいは水面まで浮上して、水面上に突出したスピーカー（２）から放音されるようになる。
【実施例２】
【００１３】
図１０・１１・１２は本発明実施の一例を示している。ホルダー（４）は、磁力や導電性を有した凸部を、本体（１）の凹部にハメ込んで、本体（１）を保持しておくと共に、本体（１）内部のセンサースイッチ（３ｄ）に、磁力や導電性を壁越しに感知させて、回路を開かせておくようにしてある。以上の特記外は、実施例１と同様であり、省略する。
【実施例３】
【００１４】
図１３・１４・１５は本発明実施の一例を示している。ホルダー（４）は、磁力を有するプレートで、本体（１）側の軟磁性体部（１ｄ）を引き寄せて、本体（１）を保持しておくと共に、本体（１）内部のセンサースイッチ（３ｄ）に、磁力を壁越しに感知させて、回路を開かせておくようにしてある。以上の特記外は、実施例１と同様であり、省略する。
【産業上の利用可能性】
【００１５】
現況として、携帯式の防犯ブザーは、広く活用されており、水難事故にも対応できる、即ち、水中でも使用可能な、電池式の警報ブザーは、より利便性を高める可能性がある。
【符号の説明】
【００１６】
１    本体
１ａ    蓋ネジ
１ｂ    防水リング
１ｃ    被覆部
１ｄ    軟磁性体部
２    スピーカー
２ａ    共鳴キャップ
２ｂ    振動フィルム
２ｃ    保護キャップ
２ｄ    排水口
３    回路部
３ａ    電池
３ｂ    素子基板
３ｃ    プッシュオフスイッチ
３ｄ    センサースイッチ
４    ホルダー
５    装着部
【要約】
【課題】水中での携帯、使用に耐え得る、強固な防水性を備えたブザーを提供する。
【解決手段】防水密閉した、浮力を有する本体（１）と、本体（１）を保持して、本体（１）内部回路を開けておくホルダー（４）を備え、本体（１）の一端側にスピーカー（２）を配し、もう一端側に、本体（１）の重心を寄せて、本体（１）が水面に浮かんだ際に、スピーカー（２）が水面上に突出するようにしておき、ホルダー（４）は、本体（１）を保持しておくと共に、本体（１）の防水密閉を害することなく、間接的に、あるいは近接的に、本体（１）内部回路を開かせておくようにしておき、使用時においては、ホルダー（４）から本体（１）を引き放すことにより、本体（１）内部回路が閉じられて、スピーカー（２）が起動されるようにし、引き放された本体（１）が、水面まで浮上して、水面上に突出したスピーカー（２）から放音されるようにする。
【選択図】図３【図１】
0006936412.tif 000002
【図２】
0006936412.tif 000003
【図３】
0006936412.tif 000004
【図４】
0006936412.tif 000005
【図５】
0006936412.tif 000006
【図６】
0006936412.tif 000007
【図７】
0006936412.tif 000008
【図８】
0006936412.tif 000009
【図９】
0006936412.tif 000010
【図１０】
0006936412.tif 000011
【図１１】
0006936412.tif 000012
【図１２】
0006936412.tif 000013
【図１３】
0006936412.tif 000014
【図１４】
0006936412.tif 000015
【図１５】
0006936412.tif 000016